(57)【要約】【課題】ファスナーを装填した後やネイルサポートが傾斜した状態であっても容易にネイルサポートの高さ位置を確認できる連結ファスナーのマガジンを提供する。【解決手段】マガジン主体３１にネイルサポート３５の底板部３５ｂの高さ位置を示す高さ位置表示部３１ａを設けた。また、前記高さ位置表示部３１ａは、マガジン主体３１に対して傾斜していないネイルサポート３５の底板部３５ｂと平行な平行表示部３１ｂを備えるようにした。【選択図】図４
2014083657.tif 000002
【特許請求の範囲】
【請求項１】
多数のファスナーを連結してコイル状に巻回した連結ファスナーを収納する略円筒状のマガジンであって、
半円筒状のマガジン主体と、
前記マガジン主体の底部に直径方向に設けられた回動軸を中心として前記マガジン主体に回動可能に取り付けられる半円筒状のマガジンキャップと、
前記回動軸に回動可能に取り付けられるガイドポストと、
前記ガイドポストに摺動可能に嵌合するネイルサポートと、
を備え、
前記ネイルサポートは、連結ファスナーが載置される底板部と、前記底板部の中央部に立設されたネイルポストと、を備えるとともに、前記ネイルポストが前記ガイドポストの長手方向に沿って摺動することで高さ位置を調節可能に形成され、
前記マガジンキャップが回動して開放されたときに、前記ガイドポスト及び前記ネイルサポートが所定角度で傾斜可能であって、
前記マガジンには、前記ネイルサポートの底板部の高さ位置を示す高さ位置表示部が設けられ、
前記高さ位置表示部は、前記マガジン主体に対して前記所定角度で傾斜した前記ネイルサポートの底板部と平行な傾斜表示部を備えていることを特徴とする、連結ファスナーのマガジン。
【請求項２】
前記高さ位置表示部は、前記傾斜表示部に加えて、前記マガジン主体に対して傾斜していない前記ネイルサポートの底板部と平行な平行表示部を備えていることを特徴とする、請求項１に記載の連結ファスナーのマガジン。
【請求項３】
前記高さ位置表示部は、前記マガジン主体の開口縁部付近に外部から視認可能に設けられていることを特徴とする、請求項１又は２に記載の連結ファスナーのマガジン。
【請求項４】
請求項１〜３のいずれかに記載の連結ファスナーのマガジンを備えた打込み工具。
【発明の詳細な説明】
【技術分野】
【０００１】
この発明は連結ファスナーを装填するマガジン及びこのマガジンを備えた打込み工具に関し、特に、使用する釘に合わせてネイルサポートの高さ位置の調節が容易な連結ファスナーのマガジン及びこのマガジンを備えた打込み工具に関する。
【背景技術】
【０００２】
従来、多数のファスナーを連結してコイル状に巻回した連結ファスナーを収納する略円筒状のマガジンを備えた釘打機が知られている。こうしたマガジン本体の内部には、連結ファスナーを保持するネイルサポートが配置されている。
【０００３】
例えば特許文献１には、ネイルサポートを備えた釘打機が開示されており、使用するファスナーの長さに合わせてネイルサポートの高さ位置を変更できること、及び、マガジンを開放したときにネイルサポートが外方に傾斜することで連結ファスナーを装填し易くしたことが開示されている。
【０００４】
なお、この特許文献１には、ネイルサポートの高さ位置を変更するための目印となる刻印がマガジンの内壁面に設けられていることが記載されている。このように、従来の釘打機においては、ネイルサポートの高さ位置を変更するための目盛をマガジンの内壁面に設けるのが一般的であった。
【先行技術文献】
【特許文献】
【０００５】
【特許文献１】特開２０１２−１７９７１０公報
【発明の概要】
【発明が解決しようとする課題】
【０００６】
しかしながら、マガジンの内壁面に目盛を設けた場合、ファスナーを装填すると目盛が隠れてしまうため、合わせるべき高さを確認できないという問題があった。また、ネイルサポートが傾斜する構成の場合、ネイルサポートが傾斜した状態ではマガジンの内壁面の目盛からネイルサポートが離れてしまうため高さ位置を確認できないという問題があった。
【０００７】
そこで、本発明は、ファスナーを装填した後やネイルサポートが傾斜した状態であっても容易にネイルサポートの高さ位置を確認できる連結ファスナーのマガジンを提供することを課題とする。
【課題を解決するための手段】
【０００８】
本発明は、上記した課題を解決するためになされたものであり、以下を特徴とする。
【０００９】
（請求項１）
請求項１に記載の発明は、以下の点を特徴とする。
【００１０】
すなわち、請求項１に記載の連結ファスナーのマガジンは、多数のファスナーを連結してコイル状に巻回した連結ファスナーを収納する略円筒状のマガジンであって、半円筒状のマガジン主体と、前記マガジン主体の底部に直径方向に設けられた回動軸を中心として前記マガジン主体に回動可能に取り付けられる半円筒状のマガジンキャップと、前記回動軸に回動可能に取り付けられるガイドポストと、前記ガイドポストに摺動可能に嵌合するネイルサポートと、を備え、前記ネイルサポートは、連結ファスナーが載置される底板部と、前記底板部の中央部に立設されたネイルポストと、を備えるとともに、前記ネイルポストが前記ガイドポストの長手方向に沿って摺動することで高さ位置を調節可能に形成され、前記マガジンキャップが回動して開放されたときに、前記ガイドポスト及び前記ネイルサポートが所定角度で傾斜可能であって、前記マガジンには、前記ネイルサポートの底板部の高さ位置を示す高さ位置表示部が設けられ、前記高さ位置表示部は、前記マガジン主体に対して前記所定角度で傾斜した前記ネイルサポートの底板部と平行な傾斜表示部を備えていることを特徴とする。
【００１１】
（請求項２）
請求項２に記載の発明は、上記した請求項１記載の発明の特徴点に加え、以下の点を特徴とする。
【００１２】
すなわち、前記高さ位置表示部は、前記傾斜表示部に加えて、前記マガジン主体に対して傾斜していない前記ネイルサポートの底板部と平行な平行表示部を備えていることを特徴とする。
【００１３】
（請求項３）
請求項３に記載の発明は、上記した請求項１又は２記載の発明の特徴点に加え、以下の点を特徴とする。
【００１４】
すなわち、前記高さ位置表示部は、前記マガジン主体の開口縁部付近に外部から視認可能に設けられていることを特徴とする。
【００１５】
（請求項４）
請求項４に記載の発明は、請求項１〜３のいずれかに記載の連結ファスナーのマガジンを備えた打込み工具である。
【発明の効果】
【００１６】
請求項１に記載の発明は上記の通りであり、高さ位置表示部がマガジン主体に対して所定角度で傾斜したネイルサポートの底板部と平行な傾斜表示部を備えているため、ネイルサポートが傾斜している場合でも適正な高さ位置を確認することができる。
【００１７】
また、請求項２に記載の発明は上記の通りであり、前記高さ位置表示部は、前記傾斜表示部に加えて、前記マガジン主体に対して傾斜していない前記ネイルサポートの底板部と平行な平行表示部を備えているため、ネイルサポートが傾斜しているかどうかにかかわらず適正な高さ位置を確認することができる。
【００１８】
また、請求項３に記載の発明は上記の通りであり、前記高さ位置表示部は、前記マガジン主体の開口縁部付近に外部から視認可能に設けられているため、ファスナーを装填しても高さ位置表示部が隠れることがなく、調整位置を視認することができる。しかも、シール等で容易に高さ位置表示部を設けることができるので、上記したような効果を低コストで得ることができる。
【００１９】
また、請求項４に記載の発明は上記の通りであり、上記したような効果を発揮するマガジンを備えた打込み工具を得ることができる。
【図面の簡単な説明】
【００２０】
【図１】釘打機を側面からみた断面図である。
【図２】マガジンを閉じた状態を示す側面図（マガジンキャップを省略した図）である。
【図３】マガジンを閉じた状態を示す斜視図（マガジンキャップを省略した図）である。
【図４】マガジンを開いた状態を示す側面図である。
【図５】マガジンを開いた状態を示す斜視図である。
【図６】高さ位置表示部の変形例を示す図である。
【発明を実施するための形態】
【００２１】
本発明の実施形態について、釘打機１０を例に、図を参照しながら説明する。
【００２２】
本実施形態にかかる釘打機１０は、圧縮空気を利用して釘を打ち込む空気圧式釘打機であり、図１に示すように、ノーズ部１３を備えた工具本体１１と、前記工具本体１１の側方に設けられたマガジン３０と、を備えている。
【００２３】
工具本体１１は、ボデーハウジング１２とグリップハウジング１６とが略直角に連設されて構成されている。ボデーハウジング１２の内部には、打撃シリンダが配置されており、この打撃シリンダ内には打撃ピストンが摺動自在に収容されている。打撃ピストンの下面には釘を打撃するためのドライバが結合して設けられており、打撃ピストンが作動したときにドライバで釘を打ち込むことができるようになっている。
【００２４】
ボデーハウジング１２の下方先端には釘を射出するためのノーズ部１３が設けられており、前記したドライバはノーズ部１３の方向へと摺働可能に案内されている。なお、ノーズ部１３の後方には釘供給機構が設けられており、この釘供給機構が、釘の打ち込みに合わせてマガジン３０内の釘を順次ノーズ部１３内へと供給するようになっている。
【００２５】
このノーズ部１３の先端には、ノーズ部１３に対して上下動可能に配置されて被打ち込み材に押し付けられるコンタクトノーズ１４が配置されている。このコンタクトノーズ１４は、ノーズ部１３の先端に摺動可能に取り付けられており、釘の射出方向に沿って摺動可能となっている。このコンタクトノーズ１４は、釘打機１０の安全装置を構成するコンタクトアームに連結されており、コンタクトノーズ１４が被打ち込み材に押し付けられて摺動すると、一体的にコンタクトアームが上動するようになっている。コンタクトアームが上動することで、トリガ１７の操作による打撃シリンダ内への圧縮空気の供給（釘の打ち出し）が可能となるように形成されている。
【００２６】
すなわち、コンタクトノーズ１４を被打ち込み材に押し付けた状態でトリガ１７を操作すると（またはトリガ１７を操作した状態でコンタクトノーズ１４を被打ち込み材に押し付けると）、グリップハウジング１６後端のエンドキャップ部２９に接続されたエアコンプレッサ等のエア供給源から供給された圧縮空気が打撃シリンダ内へ供給され、この圧縮空気が打撃ピストンに作用して打撃ピストンが駆動し、打撃ピストンに結合されたドライバが釘を打撃する。このとき、ドライバ及び釘はコンタクトノーズ１４内部の射出経路によって姿勢を安定的にガイドされ、コンタクトノーズ１４の先端に開口した射出口１５から釘が打ち出されるようになっている。
【００２７】
本実施形態に係るマガジン３０は、多数のファスナーを連結してコイル状に巻回した連結ファスナーを収納するものであって、図１〜５に示すように、マガジン主体３１と、マガジンキャップ３２と、ガイドポスト３４と、ネイルサポート３５と、を備えて構成されている。
【００２８】
マガジン主体３１は、工具本体１１に一体的に固定される半円筒状の部材である。
【００２９】
マガジンキャップ３２は、マガジン主体３１と相俟って円筒状のマガジン３０の外形を形成する半円筒状の部材であり、マガジン主体３１の底部に直径方向に設けられた回動軸３３を介してマガジン主体３１に回動可能に取り付けられている。このマガジンキャップ３２を開き方向に回動させることにより、円筒状のマガジン３０が中央から割れて大きく開口し、マガジン３０の内部を開放するようになっている。なお、このマガジンキャップ３２は透光性を有する材料で形成されており、マガジンキャップ３２を閉じたときでもマガジン３０の内部に収納した釘を視認できるように形成されている。
【００３０】
ガイドポスト３４は、図１に示すように、マガジン３０外形の円筒形状の中心軸上に立設された円柱状部材である。このガイドポスト３４は、下端部に回動軸孔が形成されており、この回動軸孔に回動軸３３が貫通することにより、回動軸３３に回動可能に取り付けられている。
【００３１】
上記したガイドポスト３４は、図２及び図３に示すように、マガジンキャップ３２が閉じているときにはマガジン主体３１とマガジンキャップ３２とで両側から支持されることにより、マガジン主体３１の底部に対して垂直姿勢を保つようになっている。一方、マガジン主体３１に対してマガジンキャップ３２が開き方向に回動したときには、マガジンキャップ３２による支持がなくなるため、マガジンキャップ３２が開いた方向に回動可能となる。このとき、このガイドポスト３４は、捩りコイルバネによりマガジン主体３１から離反する方向に付勢されているため、マガジンキャップ３２が開き方向に回動することで、マガジンキャップ３２に連動して傾斜方向に回動するようになっている。そして、マガジンキャップ３２を完全に開放したときには、図４及び図５に示すように、所定の傾斜角度（約４５度）まで傾斜したところで姿勢を維持するようになっている。
【００３２】
ネイルサポート３５は、連結ファスナーが載置されて支持される円形の底板部３５ｂと、この底板部３５ｂの中央部に立設されたネイルポスト３５ａと、を一体的に備える部材である。ネイルポスト３５ａは中空状となっており、この中空状の内部に上記ガイドポスト３４が嵌合するようになっている。
【００３３】
なお、ネイルサポート３５はガイドポスト３４を軸として回転可能となっており、回転することによってガイドポスト３４の長手方向に沿って上下に摺動するようになっている。このようにネイルサポート３５が上下に摺動することで、ネイルサポート３５のマガジン３０内における高さ位置が調節可能となっている。なお、特に説示しないが、ネイルサポート３５を回転させることにより摺動させる構造の具体的な機構については公知の機構を使用すればよい。
【００３４】
このようなマガジン構成によれば、コイル状に巻きまわした連結ファスナーをマガジン３０に装填する場合、マガジンキャップ３２を回動軸３３を中心に下方に回動させてマガジン３０の内部を開放させる。このとき、マガジンキャップ３２に連動してガイドポスト３４が傾斜方向に回動するため、ガイドポスト３４に嵌合するネイルサポート３５も外側に傾くこととなり、連結ファスナーをセットし易い状態となる。この状態で、傾いたネイルサポート３５に連結ファスナーをセットした後にマガジンキャップ３２を上方向に回動させて閉じれば、連結ファスナーの装填が完了する。
【００３５】
このとき、使用する釘の長さとネイルサポート３５の高さ位置とが合っていないときには、ネイルサポート３５を回転させることによりネイルサポート３５の高さ位置を変更する。本実施形態においては、マガジン主体３１の開口縁部付近の外表面に高さ位置表示部３１ａが設けられているため、この高さ位置表示部３１ａの表示とネイルサポート３５の底板部３５ｂの高さ位置とを目視で比較することで、ネイルサポート３５の高さ位置を確認できるように形成されている。
【００３６】
ここで、上記した高さ位置表示部３１ａは、平行表示部３１ｂと傾斜表示部３１ｃとの２つの表示部を備えている。
【００３７】
平行表示部３１ｂは、図２に示すように、マガジン主体３１に対して傾斜していないネイルサポート３５の底板部３５ｂと平行な目盛であり、マガジン３０が閉じているときなどにネイルサポート３５の高さ位置を確認できるものである。なお、上記したようにマガジンキャップ３２は透光性を有する材料で形成されているため、マガジン３０が閉じているときでもネイルサポート３５がマガジンキャップ３２から透けて見えるようになっており、ネイルサポート３５の高さ位置が確認できるようになっている。
【００３８】
傾斜表示部３１ｃは、図４に示すように、マガジン主体３１に対して前記した所定の傾斜角度で傾斜したネイルサポート３５の底板部３５ｂと平行な目盛であり、マガジン３０が開いているときなどにネイルサポート３５の高さ位置を確認できるものである。
【００３９】
上記した平行表示部３１ｂ及び傾斜表示部３１ｃは、図６（ａ）に示すように、互いに対応する目盛表示が同数（本実施形態においては、「２７〜３８」「４０〜４５」「５０」「５７〜６５」の４つ）設けられている。そして、平行表示部３１ｂの目盛表示と傾斜表示部３１ｃの目盛表示とがなす角Ｒ（図６参照）がネイルサポート３５の所定の傾斜角度と等しくなるようになっている。
【００４０】
なお、高さ位置表示部３１ａの態様としては、図６（ａ）に示すような態様に限らず、傾斜前後のネイルサポート３５にそれぞれ対応した表示を備えており、その高さ位置が確認できるものであればよい。例えば、図６（ｂ）に示すように、平行表示部３１ｂと傾斜表示部３１ｃとで数値表示を共有するような態様としてもよい。
【００４１】
以上説明したように、本実施形態によれば、マガジン主体３１の開口縁部付近の外表面にネイルサポート３５の底板部３５ｂの高さ位置を示す高さ位置表示部３１ａが設けられているため、釘を装填しても高さ位置表示部３１ａが隠れることがなく、調整位置を視認することができる。
【００４２】
また、前記高さ位置表示部３１ａは、マガジン主体３１に対して傾斜していないネイルサポート３５の底板部３５ｂと平行な平行表示部３１ｂと、マガジン主体３１に対して所定角度で傾斜したネイルサポート３５の底板部３５ｂと平行な傾斜表示部３１ｃと、を備えているため、ネイルサポート３５が傾斜しているかどうかにかかわらず適正な高さ位置を確認することができる。
【００４３】
また、外表面に高さ位置表示部３１ａを設けたため、釘が高さ位置表示部３１ａに直接接触することがなく、摩耗等による視認性の低下が発生しない。
【００４４】
また、シール等で容易に高さ位置表示部３１ａを設けることができるので、上記したような効果を低コストで得ることができる。
【符号の説明】
【００４５】
１０  釘打機
１１  工具本体
１２  ボデーハウジング
１３  ノーズ部
１４  コンタクトノーズ
１５  射出口
１６  グリップハウジング
１７  トリガ
２９  エンドキャップ部
３０  マガジン
３１  マガジン主体
３１ａ  高さ位置表示部
３１ｂ  平行表示部
３１ｃ  傾斜表示部
３２  マガジンキャップ
３３  回動軸
３４  ガイドポスト
３５  ネイルサポート
３５ａ  ネイルポスト
３５ｂ  底板部
【図１】
2014083657.tif 000003
【図２】
2014083657.tif 000004
【図３】
2014083657.tif 000005
【図４】
2014083657.tif 000006
【図５】
2014083657.tif 000007
【図６】
2014083657.tif 000008